(57)【要約】【課題】  より簡素な工法により、工事費用の削減、工期の短縮化が可能なバルコニー、及びバルコニーを備えた建物外壁の施工方法を提供する。【解決手段】  持ち出し構造のユニット式バルコニー１００を設ける建物２００の施工方法において、建物に取り付けられた腕木１０にバルコニーの床フレーム１１を取り付ける工程と、建物の周りに組み上げられた足場を利用して建物に外壁２００を取り付ける外壁取り付け工程とを含み、床フレームを足場の一部とするとともに腕木上に移動可能に構成し、外壁取り付け工程においては、床フレームを建物から離隔して配置する。【選択図】      図１
2005299297.tif 000002
【特許請求の範囲】
【請求項１】
バルコニーが設けられる建物の周りに足場を組んで前記建物の外壁を施工する方法であって、
前記バルコニーの床フレームを足場の一部として利用することを特徴とする建物外壁の施工方法。
【請求項２】
持ち出し構造のユニット式バルコニーを設ける建物の施工方法であって、前記建物に取り付けられた腕木に前記バルコニーの床フレームを取り付ける工程と、前記建物の周りに組み上げられた足場を利用して前記建物に外壁を取り付ける外壁取り付け工程と、を含み、
前記床フレームを、前記足場の一部とするとともに前記腕木上に移動可能に構成し、
前記外壁取り付け工程においては、前記床フレームを前記建物から離隔して、配置することを特徴とする施工方法。
【請求項３】
建物外壁部に取り付けられる持ち出し構造のユニット式バルコニーであって、前記建物に取り付けられて外方へと突設される腕木と、該腕木に取り付けられる床フレームとを備え、前記床フレームは、前記建物外壁と所定の間隔を空けられるよう、前記腕木に対し、前記突設方向に位置を変える事ができるように構成された、バルコニー。
【発明の詳細な説明】
【技術分野】
【０００１】
本発明は、バルコニー、及びバルコニーを備えた建物外壁の施工方法に関する。
【背景技術】
【０００２】
バルコニーは、居住者が室内にいるのと同等な状態で、外気や陽光に触れることができるので、新築住宅での施工例が増えている。特に建物壁面から持ち出すタイプのバルコニーは、意匠性に優れるため人気が高い。
【０００３】
従来技術では、建物から持ち出すタイプのバルコニーを施工する際、以下の工程が必要であった。すなわち、まず建物駆体にバルコニー固定用の先付け金具（以下において「腕木」という。）を、バルコニーを設置すべき幅で取り付け、この腕木とぶつからないように建物周囲全体に、連続した足場を組み立てる。次にこの足場を利用して建物外壁の施工（例えばサイディング材の取り付け）を行う。そしてバルコニーを施工すべき部分の足場を解体した後に上記腕木にバルコニーの床フレームを取り付け、さらにバルコニーの形状に合わせてバルコニー部分の足場を組みなおしてバルコニー各部の施工を行っていた。
【発明の開示】
【発明が解決しようとする課題】
【０００４】
しかし、上記従来工法は足場を組み立てたりはずしたりする工程を二度経ているため、手間がかかり、これが工期短縮や、施工費用削減のための足かせとなっていた。
【０００５】
そこで、本発明は、より簡素な工法により、工事費用の削減、工期の短縮化が可能なバルコニー、及びバルコニーを備えた建物外壁の施工方法を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１の発明は、バルコニー（１００）が設けられる建物（２００）の周りに足場を組んで建物の外壁（１５０、１６０）を施工する方法であって、バルコニーの床フレーム（１１）を足場の一部として利用することを特徴とする建物外壁の施工方法を提供して前記課題を解決しようとするものである。
【０００８】
請求項２の発明は、持ち出し構造のユニット式バルコニー（１００）を設ける建物（２００）の施工方法であって、建物に取り付けられた腕木（１０）にバルコニーの床フレーム（１１）を取り付ける工程と、建物の周りに組み上げられた足場を利用して建物に外壁（１５０）を取り付ける外壁取り付け工程とを含み、床フレームを足場の一部とするとともに腕木上に移動可能に構成し、外壁取り付け工程においては、床フレームを建物から離隔して配置することを特徴とする施工方法により前記課題を解決しようとするものである。
【０００９】
請求項３の発明は、建物外壁部（１５０、１６０）に取り付けられる持ち出し構造のユニット式バルコニー（１００）であって、建物（２００）に取り付けられて外方へと突設される腕木（１０）と、該腕木に取り付けられる床フレーム（１１）とを備え、床フレームは建物外壁と所定の間隔を空けられるよう腕木に対し、突設方向に位置を変える事ができるように構成されたバルコニーにより前記課題を解決しようとするものである。
【発明の効果】
【００１０】
請求項１に発明によれば、バルコニーの床フレームを足場の一部として利用することができるので、少なくとも、バルコニー近傍の部分については足場を一回だけ設ければよい。したがって、従来工法と比較して、施工コストの削減、工期の短縮化が可能である。
【００１１】
請求項２に記載の発明によれば、バルコニーの床フレームを足場の一部として利用することができるので、少なくとも、バルコニー近傍の部分については足場を一回設けるだけでよい。したがって、従来工法と比較して、施工コストの削減、工期の短縮化が可能である。また、足場の一部とされる床フレームは、外壁の施工時に必要に応じて外壁から離隔する方向に移動できるので、足場とした床フレームが外壁工事の邪魔をすることがない。
【００１２】
請求項３に記載の発明によれば、バルコニーの床フレームは、建物外壁と所定の間隔を空けられるよう、腕木に対し、その突設方向に位置を変える事ができるように構成されているので、バルコニーの床フレームを外壁工事の足場として利用しようとする場合に、バルコニー取り付け部に接する外壁材の建物への取り付けを、足場に邪魔されずに行うことができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。
【００１５】
＜施工方法＞
図１は、足場の組み立てとバルコニーの施工との順序に関して、従来の技術と本発明とを比較して示す概略斜視図である。また、図２は、建物と足場とバルコニーとの関係を示す図である。（Ａ）は従来技術におけるバルコニー設置前の建物と足場とバルコニーとの関係を示す平面図、（Ｂ）は従来技術におけるバルコニー設置後の建物と足場とバルコニーとの関係を示す平面図、（Ｃ）は従来技術における建物と足場とバルコニーとの関係を示す正面図である。また、（Ｄ）は本発明の施工方法による建物と足場とバルコニーとの関係を示す平面図、（Ｅ）は本発明の施工方法における建物と足場とバルコニーとの関係を示す正面図である。これら各図を参照しつつ、本発明の施工方法について説明する。
【００１６】
まず図１左側の欄に示された従来技術による足場の組み立てとバルコニーの施工との順序について説明する。適宜図２を参照する。
（１）  腕木の取り付け：
建物外壁部の躯体部分に腕木を取り付ける。腕木は建物からほぼ水平方向に張り出すように取り付ける。取り付ける腕木の数は通常２本であり、施工するバルコニーの幅や重量などを考慮の上、必要に応じて数を増やすことができる。両端の腕木間の距離は、施工すべきバルコニーの幅に略等しくなるように施工する。
（２）  足場の組み立て：
上記において説明した腕木を避けて、建物周囲に足場を組み立てる（図２（Ａ）参照）。このとき足場プレートを腕木上に載置するようにして足場を組んでもよい（図１左欄「足場の組み立て」参照）。二階建ての建物の際、通常足場は一階の床の高さ部分、二階の床の高さ部分、及び二階天井の高さ部分の３段階の高さに組み立てる（図２（Ｃ）参照）。足場は建物周囲を囲むよう連続形状に組み立てる（図２（Ａ）参照）。
（３）  外壁の施工：
上記において組み立てた足場を利用して、建物外壁の施工を行う。例えば、建物外壁としてサイディング材の取り付けを行う。必要に応じて塗装工事等を実施する。
（４）  足場の解体：
建物外壁の施工が完了したならば、バルコニーを設置すべき部分の足場を解体する。例えば、二階部分のみにバルコニーを設置しようとする場合、当該二階のバルコニー設置部分にかかる足場を解体する。また、一階及び二階部分両方にバルコニーを設置しようとする場合には、一階と二階とのバルコニー設置予定部分の足場を解体する。
（５）  床フレームの施工：
足場を解体すると、バルコニー設置予定部の前面が開けるので、（１）で建物に取り付けた腕木上にバルコニーの床フレームを取り付けるとともに、バルコニーの平面形状に合わせて上記にて解体した部分の足場を組みなおす（図２（Ｂ）参照）。腕木への床フレームの取り付けと、足場の再構築の順序は、いずれが先でもよい。
（６）  バルコニーの施工（不図示）：
再構築した足場を利用してバルコニーの床部、立設壁部、手摺り等の施工を行う。バルコニーの施工が終了したら、足場全体を解体する。
【００１７】
図１の右欄は本発明の施工方法による足場の組み立てとバルコニーの施工との順序を示すものである。上記従来技術による施工の順序と比較して、本発明の施工方法について以下に説明する。
（１）  腕木の取り付け：
腕木の取り付けに関しては、基本的に従来の施工方法と同様である。
（２）  床フレーム・足場下地材の施工：
建物周囲に足場を組み立てる。このとき、上記にて建物に取り付けた腕木を足場として利用する（図２（Ｄ）参照）。すなわち、この段階で腕木上に床フレームを取り付け、さらに床フレーム上に床下地材を載置して足場の一部とする。床下地材に代えて、仮の足場下地材を載置してもよい。二階建ての建物の場合、通常足場は一階の床の高さ部分、二階の床の高さ部分、及び二階天井の高さの部分の３段階の高さに組み立てる。このうち一階床高さ部分、及び二階床高さ部分についてバルコニーを足場として利用する（図２（Ｅ）参照）。足場は建物周囲を囲むよう連続形状に組み立てる。バルコニー設置予定部の足場は、腕木上の床フレーム及びその上に載置された床下地材、あるいは足場下地材である（図２（Ｄ）参照）。
（３）  外壁の施工：
上記により組み立てた足場を利用して、外壁の施工を行う。このとき、外壁とバルコニーの床フレームとが接する部位の外壁の施工が困難な場合がある。本発明のバルコニーでは、床フレームが、腕木に対して前方（建物から遠ざかる方向）に移動可能に構成されている（図１右欄カッコ内の「必要に応じて前方に移動可能」参照）。したがって、外壁と床フレームとの間に空間を作ることができるので、外壁の施工を円滑に行うことができる。これについては、後にバルコニーの構造の説明を行う際に詳しく説明する。外壁の施工後バルコニーの施工を行い、その後バルコニー部以外に組み立てられている足場を解体する。
【００１８】
以上に説明したように、本発明の施工方法によれば、バルコニーの床フレームを足場として利用するので、従来技術のように、バルコニー設置の前後において二度にわたって足場を組み上げる必要がない。したがって、足場取り付け工賃の削減、足場取り外し工賃の削減、足場板のレンタル料の削減、工期の短縮等に資することができる。
【００１９】
＜バルコニーの構造＞
図３は、本発明のバルコニーを示す側部断面図である。図３においては、図面右側に建物本体２００が配置され、そこから左方向にバルコニー１００が持ち出されている。建物２００の外壁にはサイディング材１５０が取り付けられている。建物２００の柱２１０には、固定部材２１１、２１２により腕木１０が固定されている。図示のバルコニー１００は、腕木１０上に載置される床フレーム１１、床フレーム１１上に載置される床下地材１２、及び床下地材１２上に配置される床板１３を備えている。床フレーム１１には、水平かつ建物の遠近方向に長孔１４が設けられている。その他、バルコニー１００に備えられている構成は通常のバルコニーと同様であり、たとえば、立設壁面３００や手すり１１０などが備えられている。立設壁面３００は、バルコニー１００の前面、及び両側面の３面を構成しており、これら３面にもサイディング材１６０が取り付けられている。腕木１０の側面には、一つの腕木１０に対して棚１８、１８、１８が３ヶ所に取り付けられている。床フレーム１１は、棚１８上に載置されている。これについては、図４の説明の項で詳述する。
【００２０】
図４は、腕木１０に取り付けられたバルコニー１００の床フレーム１１を示す正面図、図５は、建物２００からの床フレーム１１の移動を側面方向から示す図である。なお、図４においては、左右同一部材が使用されている場合には、図面においては参照符号にそれぞれ「ａ」、「ｂ」の文字を付して左右を区別して表し、以下の説明においては左右の区別を要する場合にのみ、「ａ」、「ｂ」を付する。図４において、腕木１０には上部取り付けねじ１６、及び下部取り付けねじ１７により、フレーム受け金具１５が取り付けられている。左右のフレーム受け金具１５ａ、１５ｂが互いに対向する面の中央やや下寄りに互いに向き合うように棚１８ａ、１８ｂが設けられている。床フレーム１１はその下面が棚１８ａ、１８ｂに接するように棚１８上に載置され、上記長孔１４ａ、１４ｂには上部取り付けねじ１６ａ、１６ｂが差し入れられている。床フレーム１１上には床下地材１２が載置されている。下部取り付けねじ１７は、一度締め付けられるとその後は基本的に緩められることはなく、フレーム受け金具１５を堅固に固定している。一方、上部取り付けねじ１６は、施工中に緩めることができる。上部取り付けねじ１６を緩めることにより、床フレーム１１はフレーム受け金具１５に対して、棚１８上を紙面の手前側と奥側の両方向に移動させることができる。その移動可能量は長孔１４の水平方向長さに略等しい（図５参照）。
【００２１】
かかる構成をとることにより、最初に床フレーム１１を足場として使用する際には、図５（ｂ）に示すように、建物２００から最も離隔した位置に配置して上部取り付けねじ１６を固定し、この離隔部に生じる空間を利用してサイディング材１５０を取り付けることができる。そして外壁の施工完了後、バルコニー１００の床フレーム１１として正規の位置（図５（ａ）に示される位置）に配置して、上部取り付けねじ１６を正式に締め付けて固定する。よってバルコニー１００を建物施工時の足場として利用できるのでバルコニー部の足場工事を省略できるとともに、足場として利用するバルコニー部が、外壁工事の妨げになることがない。
【００２２】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うバルコニー、及びバルコニーを備えた建物外壁の施工方法もまた本発明の技術的範囲に包含されるものとして理解されなければならない。
【図面の簡単な説明】
【００２３】
【図１】足場の組み立てとバルコニーの施工との順序に関して、従来の技術と本発明とを比較して示す概略斜視図である。
【図２】建物と足場と、バルコニーとの関係を示す図である。
【図３】バルコニーを示す側部断面図である。
【図４】腕木に取り付けられたバルコニーの床フレームを示す正面図である。
【図５】床フレームの移動を示す図である。
【符号の説明】
【００２４】
１０  腕木
１１  床フレーム
１２  床下地材
１４  長孔
１６  上部取り付けねじ
１７  下部取り付けねじ
１８  棚
１００  バルコニー
１５０、１６０  サイディング材（外壁）
２００  建物
【図１】
2005299297.tif 000003
【図２】
2005299297.tif 000004
【図３】
2005299297.tif 000005
【図４】
2005299297.tif 000006
【図５】
2005299297.tif 000007